(57)【要約】【課題】  従来の多くの座具は人間の骨盤を沈下させる物であった。それによって人類は多くの不可解な体調不良に悩まされてきたのである。何故なら多くの座具は、着座面に必要以上の面積があるため、臀部のみならず太ももの裏にまで広く重力を分散し、骨盤へのトランポリン効果が発揮できない物であったのだ。人類は座り方と座具を今すぐ改めなければならない。【解決手段】  そのためにはまず第一に骨盤直下の坐骨だけに重心をかけて座ること。第二にその重心がかかる部分の素材を人体親和性のある弾性体を使うこと、そしてその二つの相乗効果で坐骨即ち骨盤は劇的に体内の上位へ押し上げられるのである。骨盤が上位で揃うと脊椎も理想の湾曲を取り戻し、人体の機能のほとんどが正常化する。そしてそれこそが本発明の骨盤押上座具の役目である。【選択図】図１
2018122065.tif 000002
【特許請求の範囲】
【請求項１】
座る時に臀部の下に置いて座るだけで坐骨即ち骨盤を劇的に押し上げる効果を発揮するトランポリン機能と高反発機能を併せ持つ骨盤押上座具。
【請求項２】
請求項１記載の骨盤押上座具を椅子・施設の座席・乗り物の座席・座布団・座椅子・ソファーなどに内蔵させた物及びその技術を応用したあらゆる座具。
【発明の詳細な説明】
【技術分野】
【０００１】  本発明は、座る度に臀部の下に置いて利用することで、坐骨即ち骨盤を常に正しい位置に押し戻す効果を発揮する骨盤押上座具に関する。
【背景技術】
【０００２】  従来の多くの座具においては、骨盤直下の臀部のみならず太ももの裏にまで重力が分散するトランポリン効果が働かない物、即ち骨盤沈下を防止できないどころか、骨盤沈下を誘発する物がほとんどであった。【０００３】  また、骨盤不全や坐骨の痛みに対応する座具としては、骨盤を保持して自由な動きを制御することによって骨盤を守ろうとする物や、坐骨に当たる部分を特殊な低反発素材で保護したり、坐骨に当り障りがないように施した物でしかなかった。【０００４】  医療や整体の分野においても骨盤沈下を未然に防ぐものではなく、あくまでも対処療法の学問であり技術であった。
【発明の概要】
【発明が解決しようとする課題】
【０００５】  以上に述べた事柄は、すべて人類の間違った座り方に起因する。つまり、骨盤直下の臀部以外の太ももの裏にまで重力を分散させて座ることで、坐骨即ち骨盤へのトランポリン効果が発揮されず、体内で内臓などの重みを受けた骨盤が、人間の高齢化や連動不足による筋肉や靭帯の劣化に伴い、少しづつ沈下していくという非常に単純な物理現象が起きていたのである。【０００６】  そしてその骨盤沈下は単純に垂直に落ちるのでなく、個人の体型や癖と骨盤にはまる大腿骨頭が影響し前方にも後方にも傾き沈下する。それによって人体に複雑多岐にわたるあらゆる物理的弊害を与えている。もちろんそのような現象を誘発する座具の存在も大きい問題である。
【課題を解決するための手段】
【０００７】  まず第一に、人類は間違った座り方を改めなければならない。それは何より、骨盤直下の坐骨に重心を集中させて座るべきなのだ。そうする事によって、重力に対するトランポリン効果で、少なくとも坐骨即ち骨盤は体内で沈下する事象がなくなるのである。トランポリンの原理は両足を開かずに閉じて重心を集中させてこそ高く飛べるものである。【０００８】  第二に、その重心がかかる座具の素材を高反発性を有する弾性体にすることで、トランポリン効果との相乗効果で坐骨即ち骨盤を体内の上位置に劇的に押し上げるという効果を発揮する。その適正な反発力の目安は反発弾性が５０〜７０％の範囲の物である（軟質ウレタンフォーム試験法Ｆ−０２−００１−００）。それは人体への親和性がある弾性体といえる物である。それ以上硬くても柔らかくても骨盤押上げ効果を発揮しない。
【発明の効果】
【０００９】  上述したように本発明の骨盤押上座具は、座る人の坐骨即ち骨盤を押し上げる。それは座る時に利用すればする程効果を発揮し、それによって人体の基盤が整い、あらゆる物理的機能不全が正常化される。腰痛・肩こり・生殖機能不全・脊椎不全・歩行不全などが改善される。そして、座る度に利用することでその人間の健康寿命は確実に伸ばせることができる。【００１０】  本発明者は研究する過程で長年の腰痛が解消したばかりか肩こりも全く起こらなくなった。腰痛が治ったのは骨盤が上がることで左右の寛骨が均一に揃ったからであり、肩こりが治ったのは骨盤が上がることで脊椎も正しい湾曲を取り戻し、それによって骨格のバランスが正常化したために肩関節の靭帯の負荷が取れたからである。【００１１】  自動車などの運転席に活用することで、長時間の運転でも集中力の持続につながり、交通事故も確実に減らせることができる。【００１２】  そうして、骨盤押上座具が世界中に普及すれば人類の健康度が飛躍的に上がる。肉体が健全化すると人間は考え方や心までもが健全になり、人類は幸福な社会に大きな一歩を踏み出せる。またそれが普及する過程であらゆる産業が活気づく。【００１３】  人類は今まで、間違った座り方で座れば座る程骨盤を沈下させ、それによって多くの肉体不全に悩み苦しんできた。しかしこれからは本発明の原理を広く活用することで、人類は座れば座る程、骨盤を上げ健康を簡単に手にすることができ、人類の医療費は大幅に削減できる。
【図面の簡単な説明】
【００１４】
【図１】本発明品の骨盤押上座具を利用している状況を示した代表図
【図２】半円柱形状の骨盤押上座具
【図３】８の字形状の骨盤押上座具
【図４】楕円形状の骨盤押上座具
【図５】長方形状（角丸）の骨盤押上座具
【図６】骨盤押上座具の自動車シートへの簡易取付例（両面テープ固定）
【発明を実施するための形態】
【００１５】  以下、本発明の実施の形態を図１〜６に基づいて説明する。
【００１６】  図１においては、一般的な椅子１０に骨盤押上座具（半円柱状タイプ）９を置き、その上に座った状況を示した図である。１は脊椎、２は骨盤、３は重力のかかる方向、４は大腿骨頭、５は股関節、６は坐骨、７は押しつぶされた骨盤押上座具の部分、８はトランポリン機能と反発機能が働く方向である。そして１１が骨盤沈下方向である。
【００１７】  図２は骨盤押上座具で最も押上げ効果の強い半円柱形状の物である。厚味は５０〜１００ｍｍ、幅は１２０〜２００、長さは２２０〜３００が適正サイズ範囲となる。また半円柱状のため斜め方向から重力をかけても反発効果を発揮する。
【００１８】  図３は骨盤押上座具のアラビア数字の８の字形状の物である。臀部の形状に適合するため重力の分散が少なく、半円柱状の次に骨盤押上効果がある。厚味は２０〜７０、幅は１００〜１８０、長さが２３０〜３００が適正サイズ範囲となる。
【００１９】  図４は骨盤押上座具の楕円形状の物である。厚味は２０〜７０、幅は１００〜１８０、長さが２３０〜３００が適正サイズ範囲となる。
【００２０】  図５は骨盤押上座具の長方形状で角丸の物である。厚味は２０〜７０、幅は１００〜１８０、長さが２３０〜３００が適正サイズ範囲となる。
【００２１】  図６は骨盤押上座具の自動車シートへの簡易取付例である。形状は図３〜５のタイプで厚味は２０〜３０の物が適正である。
【図１】
2018122065.tif 000003
【図２】
2018122065.tif 000004
【図３】
2018122065.tif 000005
【図４】
2018122065.tif 000006
【図５】
2018122065.tif 000007
【図６】
2018122065.tif 000008